(57)【要約】  本発明は、ミニブログ情報共有方法を提供し、情報を作成し、情報の重要度に基づき当該情報のレベルを設定するステップＳ１０と、レベルが設定された情報をサーバに送信してインターネットで共有するステップＳ１１と、情報受信側が、ユーザが要求した情報のレベルに基づき、レベルに対応する情報を取得するステップＳ１２とを含む。当該ミニブログ情報共有方法において、情報のレベルを設定し、単位時間内にユーザから送信可能な異なるレベルの情報の数を制限することにより、ユーザは、友人から共有されるすべての情報を閲読できるだけでなく、重要で、単位時間内に送信可能な数を制限された情報も閲読でき、ミニブログ情報共有の効率を向上させる。【選択図】図１
2016540273.tif 000002
【特許請求の範囲】
【請求項１】
情報を作成し、情報の重要度に基づき当該情報のレベルを設定するステップＳ１０と、
レベルが設定された情報をサーバに送信してインターネットで共有するステップＳ１１と、
情報受信側が、ユーザが要求した情報のレベルに基づき、レベルに対応する情報を取得するステップＳ１２と、
を含むことを特徴とするミニブログ情報共有方法。
【請求項２】
前記ステップＳ１１において、
単位時間内にユーザが送信可能な異なるレベルの情報の数を情報数制限手段で制限する、
ことを特徴とする請求項１に記載のミニブログ情報共有方法。
【請求項３】
前記ステップＳ１０において、
情報の内容を情報作成手段で入力する、
ことを特徴とする請求項２に記載のミニブログ情報共有方法。
【請求項４】
前記ステップＳ１０において、
前記情報のレベルの設定をラベル設定手段で行う、
ことを特徴とする請求項１に記載のミニブログ情報共有方法。
【請求項５】
前記ステップＳ１２において、
情報の受信後にラベル読取手段を呼び出し、当該情報の属するレベルを取得する、
ことを特徴とする請求項４に記載のミニブログ情報共有方法。
【請求項６】
前記ステップＳ１２において、
それぞれ異なる優先度を有する複数の情報グループを情報グルーピング手段で設定し、
前記情報グルーピング手段により、当該情報の属するレベルに基づき、対応する優先度の情報グループに当該情報を分類する、
ことを特徴とする請求項１に記載のミニブログ情報共有方法。
【請求項７】
複数の情報グループは、それぞれの優先度の順番で並べられる、
ことを特徴とする請求項６に記載のミニブログ情報共有方法。
【請求項８】
各情報グループ内の複数の情報は、発信時間の順番で並べられる、
ことを特徴とする請求項６に記載のミニブログ情報共有方法。
【請求項９】
複数の情報グループは、グループ毎に異なるグループ名を有する、
ことを特徴とする請求項６に記載のミニブログ情報共有方法。
【発明の詳細な説明】
【技術分野】
【０００１】
本発明は、コンピュータとインターネットの技術分野に関し、特にミニブログ情報共有方法に関する。
【背景技術】
【０００２】
インターネットがますます普及されるに伴い、ｔｗｉｔｔｅｒ、ミニブログなどの情報共有ツールは、多くのネットユーザに広く使用され、ネットユーザの欠かせないソフトウェアツールになっており、普段の娯楽のみならず、ユーザの仕事においても広く使用されている。従って、ミニブログの利便性、安定性、安全性などの向上に対する、ユーザの要望は高い。ｔｗｉｔｔｅｒ、ミニブログにおいて、主に「一対多」、「多対一」のメッセージ共有方式が用いられている。このような方式は、非常に早く情報の送受信を行うことができる。「一対多」は、一人から無数の人にメッセージを発信できることを意味し、「多対一」は、一人で一万人以上のユーザ情報を同時に受信できることを意味する。
【０００３】
このような情報共有ツールにおいて、ユーザは、通常、多くの友人をフォローする。すると、ユーザは、一定時間内に、友人の共有情報を大量に取得する。現在の情報共有方式は、インテリジェント共有方式又はグループ共有方式により、ユーザが取得した複数の情報を時間順に表示する。どの共有方式であっても、友人の数が多くなると、一部友人の一部の重要情報は、発信時間の影響で数十通又は数百通の情報の後に並べられてしまう。ユーザが、大量の情報を閲読するのに毎日多大な時間を費やすことと、一部の重要情報を見逃す可能性があることとは、ミニブログ情報共有の効率に影響を与える。
【発明の概要】
【発明が解決しようとする課題】
【０００４】
本発明は、従来技術の欠陥を解決するミニブログ情報共有方法を提供する。当該ミニブログ情報共有方法において、情報のレベルを設定し、単位時間内にユーザが送信可能な異なるレベルの情報の数を制限することにより、ユーザは、友人から共有されるすべての情報を閲読できるだけでなく、重要で、単位時間内に送信可能な数を制限された情報も閲読でき、ミニブログ情報共有の効率を向上させる。
【課題を解決するための手段】
【０００５】
上記目的を達成するために、本発明は、以下の技術的方法を提案する。
【０００６】
本発明に係るミニブログ情報共有方法は、
情報を作成し、情報の重要度に基づき当該情報のレベルを設定するステップＳ１０と、
レベルが設定された情報をサーバに送信してインターネットで共有するステップＳ１１と、
情報受信側が、ユーザが要求した情報のレベルに基づき、レベルに対応する情報を取得するステップＳ１２と、
を含む。
【０００７】
前記ステップＳ１１において、
単位時間内にユーザが送信可能な異なるレベルの情報の数を情報数制限手段で制限することが好ましい。
【０００８】
前記ステップＳ１０において、
情報の内容を情報作成手段で入力することが好ましい。
【０００９】
前記ステップＳ１０において、
前記情報のレベルの設定をラベル設定手段で行うことが好ましい。
【００１０】
前記ステップＳ１２において、
情報の受信後にラベル読取手段を呼び出し、当該情報の属するレベルを取得することが好ましい。
【００１１】
前記ステップＳ１２において、
それぞれ異なる優先度を有する複数の情報グループを情報グルーピング手段で設定し、
前記情報グルーピング手段により、当該情報の属するレベルに基づき、対応する優先度の情報グループに当該情報を分類することが好ましい。
【００１２】
複数の情報グループは、それぞれの優先度の順番で並べられることが好ましい。
【００１３】
各情報グループ内の複数の情報は、発信時間の順番で並べられることが好ましい。
【００１４】
複数の情報グループは、グループ毎に異なるグループ名を有することが好ましい。
【発明の効果】
【００１５】
本発明が提供するミニブログ情報共有方法において、まず、共有側で情報を作成し、情報の重要度に基づき当該情報のレベルを設定する。それから、レベルを設定された情報をサーバに送信してインターネットで共有する。情報受信側が、ユーザが要求した情報のレベルに基づき、レベルに対応した情報を取得する。当該ミニブログ情報共有方法において、情報のレベルを設定し、単位時間内にユーザが送信可能な異なるレベルの情報の数を制限することにより、ユーザは、友人から共有されるすべての情報を閲読できるだけでなく、重要で、単位時間内に送信可能な数を制限された情報も閲読でき、ミニブログ情報共有の効率を向上させる。
【図面の簡単な説明】
【００１６】
【図１】本発明の実施の形態に係るミニブログ情報共有方法のフローチャートである。
【図２】ミニブログ情報伝送過程の模式図である。
【発明を実施するための形態】
【００１７】
以下、図面と実施例を用いて、本発明をさらに詳細に説明する。
【００１８】
本発明は、ミニブログ（ＭＩＣＲＯＢＬＯＧ）情報共有方法を提供する。図１、図２に示すように、当該ミニブログ情報共有方法は、ミニブログソフトに基づき実現される。ミニブログ共有側と受信側には、情報作成手段と、ラベル設定手段と、ラベル読取手段と、情報グルーピング手段があらかじめ配置されている。上記方式に基づく当該ミニブログ情報共有方法の具体的な手順を、以下で説明する。
【００１９】
ステップＳ１０において、情報を作成し、情報の重要度に基づき当該情報のレベルを設定する。
【００２０】
さらに、当該ステップにおいて、情報を作成するための情報作成手段と、情報のレベルを設定するためのラベル設定手段を呼び出す必要がある。従って、当該ステップ後の情報データには、情報の内容と情報のレベルのラベルが含まれ、情報のレベルは受信側における当該情報のグルーピング及び分類に用いられる。また、ユーザが情報作成時に情報のレベルを設定しなかった場合に、当該情報のレベルを最低レベルとして設定する。即ち、当該情報の重要度は最も低く設定される。
【００２１】
ステップＳ１１において、レベルが設定された情報をサーバに送信し、インターネットで共有する。実装において、ユーザは、情報のレベルを設定しなかった場合、又は情報のレベルの修正が必要になった場合、当該情報のレベルの補充設定又は修正をすることができる。
【００２２】
当該ステップにおいて、単位時間内にユーザが送信可能な異なるレベルの情報の数を情報数制限手段で制限する。例えば、情報のレベルを最重要レベル、重要レベル、普通レベルなどに設定する。最重要レベルの情報の送信を５通／毎週、重要レベルの情報の送信を１０通／毎日に制限するなど、毎日、毎週又は毎月などの特定期間内に送信可能な情報の数を設定する。また、上記情報は、デフォルトで普通レベルに設定してもよく、しかも送信可能な情報の数の設定範囲は、例えば１０００通／毎日など、比較的広い。また、情報数を、動的に又はインテリジェント的に制限してもよい。
【００２３】
ステップＳ１２において、情報受信側は、ユーザが要求した情報のレベルに基づき、レベルに対応する情報を取得する。
【００２４】
当該ステップにおいて、情報グルーピング手段で複数の情報グループを設定する。複数の情報グループは、それぞれ異なる優先度を有する。情報グルーピング手段は、受信した情報の属するレベルに基づき、対応する優先度の情報グループに当該情報を分類する。情報の受信が終了すると、ラベル読取手段を呼び出し、当該情報の属するレベルを取得する。それから、当該情報のレベルに基づき、対応する情報グループに当該情報を分類する。
【００２５】
情報グループの識別として、複数の情報グループは、グループ毎に異なるグループ名を有し、それぞれの優先度の順番で並べられる。各情報グループにそれぞれの優先度に対応した重要度の情報が含まれるため、ユーザは目的に応じて情報の内容を取得することができる。
【００２６】
情報の表示方式において、各情報グループ内の複数の情報は、発信時間の順番で並べられる。実装において、受信側で、情報グループを設定し、各情報グループ内の情報エントリー数を設定するための情報エントリー設定手段を呼び出す。
【００２７】
本発明が提供するミニブログ情報共有方法において、まず、共有側で情報を作成し、情報の重要度に基づき当該情報のレベルを設定する。それから、レベルが設定された情報をサーバに送信してインターネットで共有する。情報受信側は、ユーザが要求した情報のレベルに基づき、レベルに対応する情報を取得する。当該ミニブログ情報共有方法において、情報のレベルを設定し、単位時間内にユーザが送信可能な異なるレベルの情報の数を制限することにより、ユーザは、友人から共有されるすべての情報を閲読できるだけでなく、重要で、単位時間内に送信可能な数を制限された情報も閲読でき、ミニブログ情報共有の効率を向上させる。
【００２８】
以上の記載は、本発明の最適な実施例に過ぎず、本発明を限定するものではない。本発明の技術範囲内に属した修正、同等効果の差し替え及び改良などは、いずれも本発明の保護範囲内に含まれる。
【図１】
2016540273.tif 000003
【図２】
2016540273.tif 000004
【国際調査報告】
2016540273.tif 000005
2016540273.tif 000006
2016540273.tif 000007
2016540273.tif 000008